【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】
受け取った光のパターンに応答して信号アレイを生成する検出器と、
オブジェクトの少なくとも一部を照光する手段と、
上記信号アレイが上記オブジェクトを視覚的に表現するように上記オブジェクトの照光された部分からの光を上記検出器にあてる手段と、
上記照光手段をパルス化する手段と、を備え、
上記パルス化手段が、カラー・バランスを制御するため異なるカラーの光パルスの持続時間をそれぞれ異なる長さに設定する手段を含む、画像関連装置。
【請求項２】
連続的に異なるカラー光を周期的に使用するため上記照光手段を自動的に制御することによって上記オブジェクトの複数カラーを分離する手段を更に備える、請求項１に記載の画像関連装置。
【請求項３】
上記オブジェクトからの光を検出器にあてるため当該オブジェクトの連続部分を選択する手段を更に備え、
上記パルス化手段が、上記選択手段と同期しながら上記照光手段をパルス化させる手段を含む、請求項２に記載の画像関連装置。
【請求項４】
カラー帯型スキャナを含み、
上記選択手段が、センサ・アレイを上記オブジェクトを横切るように通過させて画像における各帯内の連続ピクセル列を選択する手段を含み、
上記パルス化手段が、上記センサ・アレイが上記オブジェクトを横切る各パスの間に各ピクセル列に関して１パルスの光を発光するように上記照光手段を制御する手段を含み、
連続したパスにおいて異なるカラーの光を発光して帯インターリーブされたカラー・データを生成するように上記照光手段を制御する手段を更に備える、請求項３に記載の画像関連装置。
【請求項５】
カラー・スキャナを含み、
上記選択手段が、連続するピクセル・ラインを選択する手段を含み、
該ピクセル・ラインは、上記スキャナが行スキャナの場合画像のピクセル行であり、上記スキャナが帯型スキャナの場合画像の帯内のピクセル列であり、
上記パルス化手段が、複数のカラーの光を順次発光してライン・インターリーブされたカラー・データを生成するように上記照光手段を制御する、請求項３に記載の画像関連装置。
【請求項６】
上記オブジェクトからの光を検出器にあてるため当該オブジェクトの連続部分を可変走査速度において選択する手段と、
上記検出器から信号を読み取って上記信号アレイを生成する手段と、を備え、
上記可変走査速度における変動を補うため検出器からの信号の振幅を調節する手段を持たない、請求項１に記載の画像関連装置。
【請求項７】
上記パルス化手段が実質的にあらゆるパルスの前に暗色インターバルが発生するように光パルスの持続時間を設定する手段を含む、請求項６に記載の画像関連装置。
【請求項８】
(a)入力オブジェクトの画像を実質的に同時に印刷媒体上へ印刷すること、(b)信号アレイを保存し、その後該信号アレイを使用して入力オブジェクト画像の印刷媒体上への印刷を制御すること、および(c)信号アレイから取り出した情報をファクシミリ受信機のような遠隔装置へ伝送して該遠隔装置によって入力オブジェクト画像を印刷媒体上へ印刷させること、の３つの機能から選択される少なくとも１つの機能を制御するように上記信号アレイを適用する手段を更に備える、請求項１に記載の画像関連装置。
【請求項９】
入力オブジェクトの少なくとも一部を間隔をあけて光パルスで照光するパルス化された照光手段と、
受け取った光のパターンに応答して信号アレイを生成する時間積分型検出器と、
信号アレイが上記オブジェクトを視覚的に表現するように該オブジェクトの照光された部分からの光を上記時間積分型検出器にあてる手段と、
上記オブジェクトからの光を時間積分型検出器にあてるため当該オブジェクトの連続部分を可変走査速度において選択する手段と、
信号アレイを生成するため上記時間積分型検出器から間隔をあけて信号を読み取る手段と、
上記パルス化された照光手段および上記読み取り手段の両方を上記選択手段と同期させる手段と、を備え、
上記可変走査速度に応じて読み取り間隔が変動し、
上記可変走査速度における変動を補うため上記時間積分型検出器からの信号の振幅を調節する手段を持たない、画像関連装置。
【請求項１０】
上記可変走査速度に応じてパルスとパルスの間の間隔も変動し、
上記時間積分型検出器における露出が上記パルス間の間隔および上記読み取り間隔と実質的に無関係であり、
露出変化は、入力オブジェクト、照光の明るさ、およびパルスの持続時間にのみ依存する、請求項９に記載の画像関連装置。
【請求項１１】
実質的にあらゆるパルスの前に暗色間隔が発生するようにパルスを設定する手段を上記パルス化手段が含む、請求項９に記載の画像関連装置。
【請求項１２】
上記オブジェクトを保持する手段に対するキャリッジの位置を決定する手段をさらに備え、
上記キャリッジを選択的に駆動する手段は、上記決定した位置に従って操作される、請求項１１に記載の画像関連装置。
【請求項１３】
上記位置決定手段が、上記保持手段を横切って配置されるコードストリップ、キャリッジ上に配置され上記コードストリップを読み取るセンサおよび上記センサの検出に応じて生成される信号を解釈するプログラム式マイクロプロセッサ部品の組み合わせであり、
上記パルス化手段が、上記位置決定手段によって決定されたピクセル位置に同期した光パルスを発光するように上記照光手段を制御する手段を含む、請求項１２に記載の画像関連装置。
【請求項１４】
受け取った可視および不可視放射のパターンに応答して信号アレイを生成する実質的に単一の検出器と、
複数カラーの可視放射または不可視放射を持つオブジェクトの少なくとも一部を照光する手段と、
可視放射または不可視放射を選択的に行うように上記照光手段を動かす機能を持つ選択手段と、
信号アレイの少なくとも一部がオブジェクトを視覚的に表現するようにオブジェクトの照光された部分からの光を上記検出器にあてる手段と、を備え、
上記検出器がオブジェクトの可視または不可視表現に応答して信号アレイを選択的に生成する、画像関連装置。
【請求項１５】
印刷媒体のタイプを特定する不可視表現を保有する各種印刷媒体上への印刷を行うために使用され、
使用中の印刷媒体のタイプを決定するため不可視表現に応答して生成された検出器からの信号を解釈する手段と、使用中の印刷媒体のタイプに対応するため印刷パラメータを調整する手段と、を更に備える、請求項１４に記載の画像関連装置。
【請求項１６】
様式のタイプを特定する不可視表現を保有する、種々のタイプの部分的に事前印刷された様式への印刷を行うために使用され、
使用中の様式のタイプを決定するため不可視表現に応答して生成された検出器からの信号を解釈する手段と、使用中の様式へ情報を印刷するように印刷動作を制御する手段と、を更に備える、請求項１４に記載の画像関連装置。
【請求項１７】
受け取った光のパターンに応答して信号アレイを生成する検出器と、
オブジェクトの少なくとも一部を照光する手段と、
上記信号アレイが上記オブジェクトを視覚的に表現するように上記オブジェクトの照光された部分からの光を上記検出器にあてる手段と、
信号アレイを適用してオブジェクトの画像を印刷媒体に印刷するペン手段と、
同じ検出器アレイを使用して、ペン手段にインクが不足しているかあるいはインクが少なくなっているか判断する機能、ペン手段による印刷品質を判断する機能、ペン手段が複数のペンを含む場合ペン相互の配置を決定する機能、および一般的に印刷と同時に印刷媒体の端の位置決めを行う機能という補助印刷機能のうちの少くとも１つを実行する手段を含む、画像関連装置。
【請求項１８】
オブジェクトからの光を受け取る際に検出器が第１の方向から光を受け取り、
上記補助印刷機能のため光を受け取る際に検出器が上記第１の方向と異なる第２の方向から光を受け取り、
更に、検出器が光を受け取る方向を選択する手段を備える、請求項１７に記載の画像関連装置。
【請求項１９】
上記選択手段が、機械的に検出器を反転する手段、機械的に検出器を逆転する手段、光を受けるため検出器が向く方向を機械的に変更する手段および検出器が光を受ける方向を電子的に切り換える手段の中から選択される、請求項１８に記載の画像関連装置。
【請求項２０】
入力オブジェクトの画像に対応する信号アレイを生成する画像関連装置であって、
そのようなオブジェクトの帯に対応する信号のサブアレイを取得する手段と、
サブアレイのシーケンスとして信号アレイを生成するように上記取得手段による処理のため異なる帯を順次定義する手段と、
連続する帯が重ね合うように上記定義手段を制御する手段と、を備える、画像関連装置。
【請求項２１】
上記異なる帯が実質的に同一の高さを持ち、
上記定義手段が、そのようなオブジェクトと上記取得手段の相対的運動を提供する手段を含み、
上記相対的運動における顕著な誤差を減少させるため、上記制御手段が、(a)上記相対的運動に対して浅い角度の方向を向く線形シーケンスを含むピクセル・パターンを選択する手段、(b)上記相対的運動に誤差を生じがちなオブジェクトの端の近傍で上記相対的運動を伴うことなく取得パターンを回転させる手段、および(c)帯の高さの奇数の約数に相当する大きさで上記相対的運動を行わせる手段の３手段から選択される手段を含む、請求項２０に記載の画像関連装置。
【請求項２２】
上記定義手段が印刷の際実質的に直接有用な形式で上記信号アレイを生成し、
対応する画像の印刷媒体上での形成を実質的に直接制御するため信号アレイを適用する手段を備え、
上記適用手段が信号の各サブアレイから出力される対応する画像の帯を印刷する手段を含む、請求項２０に記載の画像関連装置。
【請求項２３】
上記取得手段が、上記それぞれ複数の分布によって変調されるそれぞれ複数入力オブジェクトの光学的画像情報セットを提供しそれぞれ複数のスペクトル分布を持つ複数の照光手段、および上記複数入力オブジェクトの光学的画像情報セットを受け取りそれに応じて対応するそれぞれの信号セットを生成する検出手段を含み、
上記複数のスペクトル分布が標準的産業光源スペクトル分布と顕著に相違していて、
上記定義手段が、上記生成された信号セットを受け取り、受け取った信号セットに応じて、上記標準的分布との相違を補正するように調整された信号セットを導出する手段を含む、請求項２２に記載の画像関連装置。
【請求項２４】
入力オブジェクトを横切ってセンサを機械的に走査させ、該オブジェクトのピクセル帯の連続ピクセル列を取得することによって信号アレイを生成する帯型スキャナと、
印刷媒体を横切ってペン手段を機械的に走査させて、上記オブジェクトのピクセル帯の連続ピクセル列を印刷することによって上記信号アレイに基づく画像を印刷する帯型プリンタと、
帯の連続ピクセル列を印刷する際に上記帯型プリンタでの使用のため、上記取得したピクセル列の上記信号アレイにおける順序を電子的に逆にする手段と、を備える画像関連装置。
【請求項２５】
上記順序を逆にする手段が、上記ピクセル列の各列内のピクセル順序を変更しないままに維持する、請求項２４に記載の画像関連装置。
【請求項２６】
上記帯型スキャナおよび上記帯型プリンタが、走査軸に沿って上記オブジェクトおよび印刷媒体を横切って上記センサおよびペン手段を一緒に走査する実質的に共通の単一キャリッジを共有し、
上記キャリッジが、走査軸に対して直角な前進軸に沿って上記オブジェクトに対して相対的運動を行うとともに、上記前進軸に沿って上記印刷媒体に対しても相対的運動を行い、
上記相対的運動の方向が上記オブジェクトに対するものと上記印刷媒体に関するものが共通である、請求項２４に記載の画像関連装置。
【請求項２７】
上記オブジェクトおよび画像媒体を保持する複式保持手段と、
上記保持手段を横断して動くように搭載されたキャリッジと、
上記保持手段と連動するように上記キャリッジの動きを決定する手段と、を備え、
上記センサが上記オブジェクトからの光を受け取るため上記キャリッジ上に配置され、
上記ペン手段が印刷媒体の上へ印刷を行うため上記キャリッジ上に配置され、
更に、上記決定手段に応答して、上記決定手段によって決定された位置に従って上記センサおよび上記ペン手段を選択的に駆動する手段を備え、
上記駆動手段が、画像の帯データを取得すると同時に列順序を逆にするように上記検出器アレイを動作させると共に、上記画像媒体上に上記画像の帯を印刷するように上記ペン手段を制御する、請求項２４に記載の画像関連装置。
【請求項２８】
急速白黒複写機として、または高品質白黒複写機として、またはカラー複写機として選択的に使用するため、オブジェクトおよび印刷媒体を実質的に相互に静止した状態で保持する手段と、
オブジェクトおよび印刷媒体に対して横断運動を行うようにともに搭載された帯スキャナのセンサおよびプリンタのペン手段を保持するキャリッジと、
急速白黒複写機としての動作、高品質白黒複写機としての動作またはカラー複写機としての動作を操作員が選択できるようにする手段と、
上記キャリッジの横断運動に対して直角な方向において、上記キャリッジと上記オブジェクトならびに上記印刷媒体の共通位置の間で相対的運動を与える手段と、を更に備え、
上記駆動手段が、急速白黒複写が選択された場合、上記キャリッジが前進方向に移動している間に上記センサを使用して特定ピクセル帯の全体を取得し、カラー複写または高速白黒複写が選択された場合、取得印刷複合モードを使用して、部分的帯を取得して次に印刷するという動作を連続的に繰り返す手段を含む、請求項２４に記載の画像関連装置。
【請求項２９】
部分的帯を取得して次に印刷する動作を連続的に繰り返す上記手段が、
前進パス運動の際は必ず上記センサを使用して１つの帯から入力ピクセル・パターンを選択的に取得する手段と、
上記直角方向に沿って１つの帯の高さの分数に相当する大きさだけ上記相対運動を動かす手段と、
カラー複写が選択された場合複数のパスで取得された入力ピクセル・パターンを結合することによって、またはカラー解釈を実行することによって、印刷すべき出力ピクセル・パターンを決定するプログラム式マイクロプロセッサ手段と、
１つの特定帯におけるすべての入力ピクセルが取得され処理された後にのみ上記ペン手段を使用してリトレース動作の間に対応ピクセル・パターンを印刷する手段と、
を更に備える請求項２８に記載の画像関連装置。
【請求項３０】
上記オブジェクトを静止状態に保持する透明プラテンと、
上記プラテンと平行しかつ間隔をあけた位置に上記プラテンとほぼ整列させて印刷媒体を保持する手段と、
上記横断および直角運動が上記プラテンおよび上記印刷媒体両方の位置に対して平行して行われるように、上記プラテンと上記印刷媒体位置の間に配置されるキャリッジと、を更に備え、
上記検出器アレイおよび上記ペン手段が、それぞれプラテンからの光を受け取り同時に印刷媒体位置で印刷するため、反対方向を向いている、請求項２４に記載の画像関連装置。
【請求項３１】
入力オブジェクトを横切ってセンサを機械的走査してオブジェクトのピクセル帯の連続ピクセル列を取得することによって信号アレイを生成する帯型スキャナと、
印刷媒体を横切ってペン手段を機械的に走査させて、上記オブジェクトのピクセル帯の連続ピクセル列を印刷することによって上記信号アレイに基づいた画像を印刷する帯型プリンタと、
上記オブジェクトを静止状態に保持する透明プラテンと、
上記プラテンと平行しかつ間隔をあけた位置に上記プラテンとほぼ整列させて印刷媒体を保持する手段と、
上記プラテンおよび上記印刷媒体両方の位置に対して横断および直角運動が平行して行われるように、上記プラテンと上記印刷媒体位置の間に配置され、上記スキャナおよび上記プリンタに共用されるキャリッジと、を備え、
上記検出器アレイおよび上記ペン手段が、それぞれプラテンからの光を受け取り同時に印刷媒体位置で印刷するため、反対方向を向いていて、上記キャリッジと上記オブジェクトならびに上記印刷媒体の間での相対的運動のすべては共通方向であり、電子的反転が実行されることはない、画像関連装置。